(57)【要約】      （修正有）【課題】災害時に水道蛇口との接続操作や接続取り外し操作が簡単に行えるとともにタンク内の清掃作業が容易にできるようした非常用水タンクを提供する。【解決手段】流入口３と流出口５とをホースＨ両端を接続器ＳＯで接続する非常用水タンクであり、上記接続器は、流入口と流出口に挿入されるテーパー状中筒７と、内筒９と開口先端部９Ｂに設けた雄ねじ部１０と上記テーパー状中筒７の上面に嵌合され上記流入口３と流出口５の雄ねじ部３Ａ，５Ａに螺合する雌ねじ部１３Ｂを設けた第１キャップ体１３と、ホースＨの外周側に嵌合され外径方向に拡縮可能な多数の押片１５Ａをテーパー筒状に配置しその小径内周側に凸部１５Ｂを設けたパッキン１５と、内周凹部側の傾斜面１７Ｃでパッキンの凸部をホースに保持させるべく内周凹部の開口側内壁に設けた雌ねじ部１７Ｄを雄ねじ部１０に螺合させる第２キャップ体１７とで構成されている。【選択図】図２
0003113006.tif 000002
【実用新案登録請求の範囲】
【請求項１】
複数の貯水タンクの上部に流入口と流出口とを設け互いに隣接し合う貯水タンクの流入口と流出口とをホース両端に付設した接続器で接続した非常用水タンクにおいて、上記接続器は、流入口と流出口に挿入されるテーパー状中筒とこのテーパー状中筒の上面に配置された内筒とこの内筒の開口先端部に設けられた雄ねじ部と上記テーパー状中筒の上面に嵌合され上記流入口と流出口の雄ねじ部に螺合させる雌ねじ部を設けた第１キャップ体と、上記内筒の先端部に外嵌めされたホースの外周側に嵌合され外径方向に拡縮可能な多数の押片をテーパー筒状に配置しその小径内周側に凸部を設けたパッキンと、上記ホースの先端側に嵌合され内周凹部側の傾斜面でパッキンの凸部をホースに外周から押圧して保持させるべく内周凹部の開口側内壁に螺設した雌ねじ部を上記雄ねじ部に螺合させる第２キャップ体と、を具備したことを特徴とする災害時の非常用水タンク。
【請求項２】
複数の貯水タンクの上部中央に大口径の清掃口とこれを閉塞する蓋体とを設け、上記蓋体は清掃口の外周上部に嵌合する中蓋と上記中蓋の外周に嵌合され外径方向に拡縮可能な多数の押片をテーパー筒状に配置しその小径内周側に凸部を設けたパッキンと、上記清掃口に被冠され内周凹部側の傾斜面でパッキンの凸部を中蓋に外周から押圧して保持させるべく開口先端の内壁に螺設した雌ねじ部を上記清掃口の外周下部に設けた雄ねじ部に螺合させるキャップ体と、を具備したことを特徴とする請求項１記載の非常用水タンク。
【考案の詳細な説明】
【技術分野】
【０００１】
本考案は、地震災害や台風災害等に水道水が断水した時、非常用の飲料水として一時的に使用する非常用水タンクに係り、特に、水道蛇口や各タンク間の取り付け取り外しの接続操作やタンク内の清掃が簡単に行えるようにしたものに関する。
【背景技術】
【０００２】
従来から地震災害や台風災害時等に非常用の飲料水として使用する非常用水タンクが提供されている。そのほとんどの実施形態が、水道水を蛇口からホースを介してポリ容器等の一方の入口に接続して給水し、他方の出口に接続したホースから散水ノズル、トイレの貯水タンク等に給水され、常に新鮮な水道水が非常用水タンク内に供給されて自動交換されるように工夫されている。そして、非常時には、蛇口や散水ノズル等に繋がれたホースを、出口・入口から取り外して、貯水した水を少量ずつ汲み出して飲料水として使用する。
【０００３】
以下、その具体例を説明する。まず、第１の実施例は、１つの非常用水タンク本体に水の出し入れ口の穴を設けたキャップへ蛇口ニップルを設け、これに接続されるニップルコネクタを設けたホースの端末へはホースバンドを設け、水タンク本体の他方の出し入れ口の穴を設けたキャップへは、ホースニップルを設け、端末へホースジョイント凹側を設けたホースを接続しホースバンドを設け、このホースジョイント凹側へ接続されるホースジョイント凸側を設けたホースの端末へはホースバンドと蛇腹ホースを設けた、水道蛇口へ装着した地震災害時の非常用水を確保するものである（例えば、特許文献１参照。）。
【０００４】
また、第２の実施例となる循環式簡易非常給水器は、密閉された水タンク下部側面に、給水口兼非常取出口を、タンク上部に取水口を備えて、通常は既設の水道水を蛇口からホースにより、給水兼非常取水器を経て、満タン状態のタンク内へ注水する。上記給水口兼非常取出口とタンク上部に取水口とは、ワンタッチ式のホースコネクターにより、着脱が簡単に出るようになっているものである（例えば、特許文献２参照。）。
【０００５】
また、第３の実施例となる非常用飲料貯水装置は、複数のポリタンクをホースで直列接続した一個目のポリタンクが水道水の水圧破損から防ぐものである。その構成は、水道管に減圧手段を介して減加圧槽に連結し、所定の圧力がかかっている水道水を減圧しこの減圧された減加圧槽内の水道水を給水管のホースで複数個用意されたポリタンクに連結して貯水する。これにより、１個目のポリタンク本体やホースジョイントに大きな水圧が掛からないようにしたものである（例えば、特許文献３参照。）。
【０００６】
【特許文献１】特開２００１−１３２０２４号公報
【特許文献２】登録実用新案第３０３９６７９号公報
【特許文献３】登録実用新案第３０４５２２１号公報
【考案の開示】
【考案が解決しようとする課題】
【０００７】
上記従来の非常用水タンク装置において、第１の実施例は、常に新鮮な水道水が非常用水タンク内に供給されて自動交換される。非常時は、蛇口や消費側に繋がれたホースを、出入り口から取り外して貯水した水を少量ずつ汲み出して飲料水として使用できる。しかしながら、水道水圧がホースジョイントにかかり、そのホースジョイントが破損したり水漏れしたりするおそれがあるし、ホースジョイントの着脱操作もしにくいという問題がある。また、第２の実施例では、ワンタッチ式のホースコネクターにより、着脱が簡単に出るようになっているものの、この実施例においても耐久性と耐漏水性に欠けるという問題がある。更に、第３の実施例の非常用飲料貯水装置は、２個以上のタンクを内径の狭いホースを介在して接続するとき、一個目のタンクに高い水圧がかかって膨張され接続口から水漏れが発生するという問題を解消させたものである。しかし、装置が大型化・大規模化してしまい設備費が高くなり、一般家庭においてコンパクトに狭い敷地内や家屋内に配置することが困難になるという問題がある。
【０００８】
更に、上記各実施例においては、常時はタンク内に新鮮な水道水が流入されて貯水が入れ替わるものの、長期間に渡り放置するとタンク内に水垢や苔等が付着する。この水垢や苔等は定期的に清掃しなければならないが、清掃口は口径の小さな流入口や流出口であるから手早く容易に綺麗に清掃作業を行うことができないという問題がある。
【０００９】
本考案はこのような点に基づいてなされたものでその目的とするところは、高い水圧に対して耐久性と耐漏水性を備えるとともに災害時に水道蛇口や各タンクとの接続操作や取り外し操作が簡単・容易に行えるようした非常用水タンクを提供することにある。また、他の目的は高い水圧に対して耐久性と耐漏水性を備えるとともにタンク内の清掃作業が容易にできるようした非常用水タンクを提供することにある。
【課題を解決するための手段】
【００１０】
上記目的を達成するべく本考案の請求項１による非常用水タンクは、複数の貯水タンクの上部に流入口と流出口とを設け互いに隣接し合う貯水タンクの流入口と流出口とをホース両端に付設した接続器で接続した非常用水タンクにおいて、上記接続器は、流入口と流出口に挿入されるテーパー状中筒とこのテーパー状中筒の上面に配置された内筒とこの内筒の開口先端部に設けられた雄ねじ部と上記テーパー状中筒の上面に嵌合され上記流入口と流出口の雄ねじ部に螺合させる雌ねじ部を設けた第１キャップ体と、上記内筒の先端部に外嵌めされたホースの外周側に嵌合され外径方向に拡縮可能な多数の押片をテーパー筒状に配置しその小径内周側に凸部を設けたパッキンと、上記ホースの先端側に嵌合され内周凹部側の傾斜面でパッキンの凸部をホースに外周から押圧して保持させるべく内周凹部の開口側内壁に螺設した雌ねじ部を上記雄ねじ部に螺合させる第２キャップ体と、を具備したことを特徴とするものである。
【００１１】
また、請求項２による非常用水タンクは、請求項１記載の非常用水タンクにおいて、複数の貯水タンクの上部中央に大口径の清掃口とこれを閉塞する蓋体とを設け、上記蓋体は清掃口の外周上部に嵌合する中蓋と上記中蓋の外周に嵌合され外径方向に拡縮可能な多数の押片をテーパー筒状に配置しその小径内周側に凸部を設けたパッキンと、上記清掃口に被冠され内周凹部側の傾斜面でパッキンの凸部を中蓋に外周から押圧して保持させるべく開口先端の内壁に螺設した雌ねじ部を上記清掃口の外周下部に設けた雄ねじ部に螺合させるキャップ体と、を具備したことを特徴とするものである。
【００１２】
すなわち、本考案による災害時の非常用水タンクは、水道蛇口や非常用水タンク間の流入口と流出口にホース両端をつなぐ接続器が、テーパー状中筒と内筒と雄ねじ部と上記テーパー状中筒を上記流入口や流出口に気密に嵌着させる第１キャップ体と、上記キャップ体の内筒の開口先端部に被覆させて繋ぐホースとパッキンと上記ホースにパッキンを押圧させる第２キャップ体とで構成されている。この接続器は、非常用タンクの流入口と流出口に第１キャップ体のねじ込み操作により簡単かつ確実に取り付けられ、第２キャップ体にホース両端部を取り付けた状態でこの第２キャップ体を第１キャップ体の雄ねじ部に螺合させる接続操作により簡単かつ確実に密閉状態に接続できる。また、接続器を非常用水タンク間の流入口と流出口からの取り外し操作も同様に簡単かつ確実に行われる。従って、災害時に水道蛇口や各タンクとの接続操作や取り外し操作が簡単・容易に行える。
【００１３】
また、本考案の非常用水タンクは、各貯水タンクの上部に設けた大口径の清掃口とこれを閉塞する蓋体が備えられている。この蓋体によると、清掃口の外周に中蓋を嵌合させ、上記中蓋の外周に嵌合されるパッキンはその小径内周に設けた凸部が中蓋の外周面に縮んで押圧される。このパッキンはキャップ体の内周傾斜面に嵌合され、キャップ体を清掃口に設けた雄ねじ部に螺合させることで内周凹部の傾斜面がパッキンを中蓋に気密状態に押圧して保持させられる。しかして、清掃口に対する蓋体の取り付け取り外し操作が簡単かつ確実に行われる。従って、タンク内の清掃作業が容易に行える。
【考案の効果】
【００１４】
本考案の非常用水タンクによると、複数の非常用水タンクの流入口と流出口にホースが接続器の第１キャップ体と第２キャップ体とにより繋げられるから、流入口と流出口に繋げるホースが簡単に取り付け取り外し操作できる。そして、複数の非常用水タンクに接続した接続器に加わる高い水圧に対して耐久性と耐漏水性を備え非常用水の貯水が安全・確実にできる。
【００１５】
更に、災害時の非常用水タンクの上部に設けた大口径の清掃口は、蓋体により開閉が容易に気密状態に閉塞されるから、清掃口に加わる内部からの高い水圧に対して耐久性と耐漏水性を備え清掃口は蓋体により水漏れすることなく確実に密封できる。そして、非常タンク内の清掃時には、蓋体を開けることで大口径の清掃口が開口し、腕まで挿入することにより、タンク内の清掃作業が隅々まで簡単かつ確実にできる。
【考案を実施するための最良の形態】
【００１６】
以下、図１乃至図３を参照して本考案の第１の実施の形態を説明する。図１は非常用水タンクの接続図、図２は接続器の内部構成を示す展開断面図、図３は接続状態の断面図である。
【００１７】
本考案の非常用水タンク１００は、下記のように構成されている。まず、複数（２個以上）の貯水タンク１は、その材質を合成樹脂製で形成され、容量約１０〜２０リットル前後の立方形をなしている。この貯水タンク１は、上部に流入口３と流出口５とを設け、互いに隣接し合う貯水タンク１の流入口３と流出口５とを可撓性のあるホースＨの両端Ｈ１，Ｈ１に付設した接続器ＳＯで接続して軒下や室内の片隅に配置した災害時の非常用水タンク１００である。
【００１８】
上記接続器ＳＯは、流入口３及び流出口５と繋ぐ第１接続部Ｓ１と、ホースＨの両端Ｈ１と繋ぐ第２接続部Ｓ２とからなり、その構成を説明する。まず、第１接続部Ｓ１は、テーパー状中筒７を備え、この筒部７Ａが貯水タンク１の流入口３と流出口５の開口縁に各々挿入させられる寸法関係に定められている。上記テーパー状中筒７の頂面は、連絡孔７Ｂが明けられ内筒９と連結されている。上記内筒９は、この筒本体９Ａが水平方向に配置され、やや小径とした開口先端部９Ｂに接近した位置に雄ねじ体１０がこの中心に明けた孔で締結（ネジ止め又は接着）されている。上記雄ねじ体１０の外周には、雄ねじ部１０Ａと環部１０Ｂを備えている。上記テーパー状中筒７の上面には、第１キャップ体１３がその平面に明けた係合孔１３Ａを回転自在に嵌合されている。更に、上記第１キャップ体１３には、その筒部１３Ａの内壁１３Ｃに雌ねじ部１３Ｂが設けられており、上記流入口３又は流出口５の外周に螺設した雄ねじ部３Ａ，５Ａに螺合して締め付けることにより、上記テーパー状中筒７を上記流入口３又は流出口５に気密に嵌合させられる。
【００１９】
上記ホースＨには、第２接続部Ｓ２となる第２キャップ体１７がその係合孔１７Ａを内筒９に挿入して上記雄ねじ部１０Ａに螺合される。第２キャップ体１７は、上記第１接続部Ｓ１となる内筒９の開口先端部９Ｂに、可撓性のホースＨの先端側を外嵌して被覆させて繋ぐものである。まず、上記内筒９の先端部に外嵌めされたホースＨの外周側に嵌合され外径方向に拡縮可能な多数の押片１５Ａをテーパー筒状に配置しその小径内周側に凸部１５Ｂを設けたテーパー状のパッキン１５と、上記ホースＨの先端側に嵌合され内周凹部側の傾斜面１７Ｃでパッキン１５の凸部１５ＢをホースＨに外周から押圧して保持させるべく内周凹部１７Ｂの開口側内壁に螺設した雌ねじ部１７Ｄを上記雄ねじ部１０Ａに螺合させる。しかして、上記第２キャップ体１７の雌ねじ部１７Ｄを上記雄ねじ部１０Ａの外周に螺合して締め付けることにより、上記パッキン１５の小径内周面の凸部１５ＢがホースＨの表面に外周から食い込み、内筒９の開口先端部９ＢにホースＨを気密に保持させる。
【００２０】
以上の構成からなる非常用水タンク１００の作用を説明する。図１〜図３に示すように、接続器ＳＯは、各貯水タンク１に設けた流入口３及び流出口５に繋ぐ第１キャップ体１３と、この第１キャップ体１３の内筒９の開口先端部９ＢにホースＨの両端Ｈ１，Ｈ１を繋ぐ第２キャップ体１７とからなる。
【００２１】
ホースＨの取り付け作業は、まず、第１接続部Ｓ１に備えるテーパー状中筒７における筒部７Ａを貯水タンク１の流入口３と流出口５の開口縁Ａ，Ａに各々挿入させる。次に、上記テーパー状中筒７に回転自在に係合する第１キャップ体１３を、この筒部の雌ねじ部１３Ｂで、流入口３又は流出口５の外周に螺設した雄ねじ部３Ａ，５Ａに螺合して締め付ける。この第１キャップ体１３を流入口３又は流出口５に締め付けることにより、上記テーパー状中筒７が流入口３又は流出口５に内側から気密に螺合される。これで、上記テーパー状中筒７の頂面には、内筒９の筒本体９Ａが水平方向に配置される。続いて、上記内筒９を小径とした開口先端部９Ｂに、可撓性のホースＨの先端側が外嵌して被覆される。この後、第２キャップ体１７の雌ねじ部１７Ｂを内筒９に備える雄ねじ部１０の螺子１０Ａに螺合して締め付けることにより、上記パッキン１５の小径内周面１５Ａの凸部１５ＢがホースＨの表面に外周から縮んで食い込み、内筒９の開口先端部９ＢにホースＨが気密常態に保持される。
【００２２】
他方、ホースＨの取り外し作業は、上記取り付け作業とは逆手順で行われる。まず、第２キャップ体１７を逆転させこの雌ねじ部１７Ｂを内筒９に備える雄ねじ部１０の締め付け螺合から緩めて外す。次に、上記内筒９の開口先端部９Ｂに外嵌して被覆している可撓性ホースＨの先端側が引き抜かれる。最後に、第１キャップ体１３を、流入口３又は流出口５の雄ねじ部３Ａ，５Ａとの締め付け螺合から緩めて取り外す。これで、接続器ＳＯを構成する第１接続部Ｓ１の第１キャップ体１３と、この第１接続部Ｓ１の内筒９の開口先端部９ＢにホースＨの両端Ｈ１，Ｈ２を繋ぐ第２接続部Ｓ２の第２キャップ体１７とが、貯水タンク１の流入口３と流出口５から取り外される。
【００２３】
しかして、上記第１接続部Ｓ１は、非常用タンクの流入口３と流出口５に第１キャップ体１３のねじ込み操作により簡単かつ確実に取り付けられ、第２接続部Ｓ２にホース両端部を取り付けた状態でこの第２キャップ体１７を第１接続部Ｓ１の雄ねじ部１０に螺合させる接続操作により簡単かつ確実に密閉状態に繋げられる。また、接続器ＳＯを非常用水タンク１間の流入口３と流出口５からの取り外し操作も同様に簡単かつ確実に行われる。従って、災害時に水道蛇口や各タンクとの接続操作や取り外し操作が簡単・容易に行える。
【００２４】
本考案の非常用水タンク１００における実施の形態によると、下記の効果が奏される。まず、複数の非常用水タンク１の流入口３と流出口５にホースＨが接続器ＳＯの第１接続部Ｓ１と第２接続部Ｓ２とにより繋げられるから、流入口と流出口に繋げるホースが簡単に取り付け取り外し操作できる。そして、複数の非常用水タンクに接続した接続器に加わる大きな水圧にも水漏れせず耐えられて非常用水の貯水が安全・確実にできる。
【００２５】
尚、本考案は上記第１の実施の形態における接続器ＳＯの構成を設計変更できる。例えば、図４と図５に示す接続器ＳＯ´としても良い。その構成は、まず、筒本体９Ａがテーパー状中筒７の頂面に一体化されており、この開口部に螺子１０Ａと環部１０Ｂからなる雄ねじ部１０も一体化されている。上記雄ねじ部１０と筒本体９Ａの筒孔ｈに、その開口側から別ピースの内筒９が気密状態に挿入して固着されている。この内筒９の奥部の側壁に明けた連絡孔９Ｃがテーパー状中筒７の頂面に明けた連絡孔７Ｂと合わせられている。これにより、水Ｗがこの連絡孔９Ｃからタンク内に供給され、または排水されるようになっている。その他の構成は、第１の実施の形態と同一である。上記接続器ＳＯ´によると、製造工程における組立作業の簡易化や製造コストの低減が図られる。この設計変更した接続器ＳＯ´の構成によるときも、上記接続器ＳＯを採用した第１の実施の形態と同一の作用・効果が発揮される。
【００２６】
更に、本考案は上記第１の実施の形態に限定されない。図６〜図８に示す第２の実施の形態の災害時の非常用水タンク２００としても良い。その構成は、上記の第１の実施の形態における非常用水タンク１００において、タンク上部に大口径の清掃口２０とキャップ体３５を主体とする蓋体３０を設けたものである。その構成は、複数の貯水タンク１の上部中央に大口径の清掃口２０とこれを閉塞する蓋体３０とを設け、上記蓋体３０は清掃口２０の外周上部に嵌合する中蓋３１と上記中蓋の外周に嵌合され外径方向に拡縮可能な多数の押片３３Ｄをテーパー筒状に配置しその小径内周側３３Ａに凸部３３Ｂを設けたパッキン３３と、上記清掃口２０に被冠され内周凹部側３５Ａの傾斜面３５Ｂでパッキン３３の凸部３３Ｂを中蓋３１に外周から内径側へ押圧して保持させるべく開口先端の内壁３５Ｃに螺設した雌ねじ部３５Ｄを上記清掃口２０の外周下部に設けた雄ねじ部２０Ｂに螺合させる蓋体３０と、からなるキャップ体３５を備えたものである。その他の構成は、上記第１の実施の形態と同一構成であるから、同一符号を付して説明を省略する。
【００２７】
上記第２の実施の形態の非常用水タンク２００によると、以下のように作用する。まず、非常用水タンク２００は、各貯水タンク１の上部に設けた大口径の清掃口２０を閉塞するキャップ体３５を主体とする蓋体３０が備えられている。まず、キャップ体３５は、清掃口２０の外周に閉塞用の中蓋３１を嵌合させる。続いて、清掃口２０に蓋体３０をねじこむ。これで、上記中蓋３１の外周に嵌合されるパッキン３３は、その小径内周に設けた凸部３３Ｂが中蓋３１の外周に当接される。このパッキン３３は蓋体３０の内周傾斜面３５Ｂに挿嵌されており、蓋体３０を清掃口２０に設けた雄ねじ部２０Ｂに螺合させることで傾斜面３５Ｂがパッキン３３を中蓋３１側に縮めて凸部３３Ｂが中蓋３１の外周面を押し込み気密状態に押圧して保持される。しかして、清掃口２０に対する蓋体３１の取り付け取り外し操作が簡単かつ確実に行われる。従って、タンク内の清掃作業が容易に行える。
【００２８】
上記第２の実施の形態による非常用水タンク２００の効果は、非常用水タンクの上部に設けた大口径の清掃口２０は、蓋体３０により開閉を容易に気密状態に閉塞されるから、清掃口２０は蓋体３０により水漏れすることなく確実に密封できる。そして、非常タンク１内の清掃時には、蓋体３０を開けることで大口径の清掃口２０が開口し、腕まで挿入することによりタンク内に差し入れた清掃具での清掃作業が簡単かつ確実にできる。その他の作用は、上記第１の実施の形態の災害時の非常用水タンク１００と同様に得られる。
【産業上の利用可能性】
【００２９】
本考案は、その対象物を災害時の非常用水タンクとしたものであるが、様々な用途のタンクへの適用が可能である。例えば、火災用水タンクなど、その他の用途の水タンクとしても適用できる。
【図面の簡単な説明】
【００３０】
【図１】本考案の第１の実施の形態を示し、非常用水タンクの配置図である。
【図２】本考案の第１の実施の形態を示し、非常用水タンクの接続器の展開断面図である。
【図３】本考案の第１の実施の形態を示し、非常用水タンクの接続器の断面図である。
【図４】本考案の第１の実施の形態を示し、接続器を設計変更した斜視図である。
【図５】本考案の第１の実施の形態を示し、接続器を設計変更した断面図である。
【図６】本考案の第２の実施の形態を示し、非常用水タンクの配置図である。
【図７】本考案の第２の実施の形態を示し、非常用水タンクの開閉蓋体の展開断面図である。
【図８】本考案の第２の実施の形態を示し、非常用水タンクの開閉蓋体の断面図である。
【符号の説明】
【００３１】
１            貯水タンク
３            流入口
５            流出口
３Ａ，５Ａ    雄ねじ部
７            テーパー状中筒
７Ａ          筒部
７Ｂ          連絡孔
９            内筒
９Ａ          筒本体
９Ｂ          開口先端部
９Ｃ          連絡孔
１０          雄ねじ体
１０Ａ        雄ねじ部
１０Ｂ        環部
１３          第１キャップ体
１３Ａ        係合孔
１３Ｂ        雌ねじ部
１３Ｃ        内壁
１５          パッキン
１５Ａ        押片
１５Ｂ        凸部
１７          第２キャップ体
１７Ａ        係合孔
１７Ｂ        筒部
１７Ｃ        傾斜面
１７Ｄ        雌ねじ部
２０          清掃口
２０Ｂ        雄ねじ部
３０          蓋体
３１          中蓋
３３          パッキン
３３Ａ        小径内周
３３Ｂ        凸部
３３Ｄ        押片
３５          キャップ体
３５Ａ        内周部
３５Ｂ        傾斜面
３５Ｃ        内壁
３５Ｄ        雌ねじ部
Ｈ            ホース
Ｈ１          両端
ＳＯ          接続器
ＳＯ´        接続器
Ｓ１          第１接続部
Ｓ２          第２接続部
１００        非常用水タンク
２００        非常用水タンク
【図１】
0003113006.tif 000003
【図２】
0003113006.tif 000004
【図３】
0003113006.tif 000005
【図４】
0003113006.tif 000006
【図５】
0003113006.tif 000007
【図６】
0003113006.tif 000008
【図７】
0003113006.tif 000009
【図８】
0003113006.tif 000010